(57)【要約】【課題】  広島の燈籠や流し燈籠は、ゴミ問題が常に有る。墓参りのお供え物としての商品。燈籠を立てる習慣がなくても、ご先祖を敬い、若い世代の方が墓参りを意識する一端になればと思い考案した回転する燈籠。【解決手段】  先端が回転し、材料は紙と竹串のみで可燃ゴミとしても可。購入は赤色か白色を選べ、工具を必要とせず、竹串をお墓の高さや大きさで調整でき地面に立てる。また、花立てや線香立てに刺すことも可能で、お供え物の燈籠として心和むデザインと機能。立て方には制限はなく、お彼岸だけでなくお盆、お墓や屋内の仏前や軒先に立てることも可能な回転する燈籠。【選択図】図１
2006000527.tif 000002
【特許請求の範囲】
【請求項１】
軸と、軸に対して回転自在に取り付けられた多角形の燈籠本体と、燈籠本体の上端の多角各面に固定されて下端に向けて垂下する色紙にて多角形の面を形成し、各稜線に沿い垂下するそうめん状帯よりなり、色紙の下端にひねりを形成したことを特徴とする回転する燈籠。
【請求項２】
多角形が六角形であり、色紙が鮮やかな六色で構成された請求項１記載の回転する燈籠。
【発明の詳細な説明】
【技術分野】
【０００１】
本発明は、墓参りの際の供え物としての回転する燈籠に関する。
【背景技術】
【０００２】
従来の墓参りのお供え物には各地方でさまざまな物があるが、広島の安芸門徒特有の風習で、図４に示すように、色鮮やかな燈籠を盆のお墓参りの時はお供えしている。この燈籠は初盆には白色、次年から色鮮やかな六色の紙を貼った燈籠を立てるようになっている。（例えば、非特許文献１参照。）
また、お盆の風習として広島や長崎を始めとして全国各地には流し燈籠もある。（例えば、実用新案文献１参照。）
【０００３】
以下、図４により従来の墓参りの際にお供え物としての燈籠について説明する。図において竹12をそのまま利用しているもので上部と下部に細工を施し、竹枠14を１の上部にはめ込み固定。三角胴紙１５、房１６、立て燈籠そうめん１７、耳１３の糊付けにより本体の形を成している。
【０００４】
図４に示すように、房１６、立て燈籠そうめん１７は飾り紙で、それらを耳１３に糊付し、竹１２の上部に取り付けされた六角形の竹枠１４。円形の針金を用いている燈籠もある。
また、竹１の上部は均等に六等分に深く割られ、六等分に割られたその先端はさらに竹枠３がはめ込み可能なように二分割となっている。
【特許文献１】実開昭６１−１８９５０４号  広報
【非特許文献１】「おつきあいとマナー  冠婚葬祭ひろしまの相場としきたり」,広島リビング新聞社,２００３年１２月２５日第２版第１刷発行,P.１６１
【発明の開示】
【発明が解決しようとする課題】
【０００５】
図５に示すように、回転燈籠と呼ばれる物は数々在るが、それらの燈籠は高価な商品となっている物が多い。一般に屋内用の回転燈籠は、一対で数万円もする高価物ばかりで、お墓参りに持参できるような燈籠でない。
【０００６】
この上記０００５の燈籠は屋内に置くためだけに設計され製造されている。屋内の軒先や縁側、仏壇の前に設置することが中心で、電気を使い、その発生した熱を使うことで回転する部分が回転している燈籠である。
【０００７】
一般的に墓苑や墓に上記０００５の燈籠を立てることはなく、仮にお墓参りの時だけ設置するにしても電気をその為だけに引き、燈籠を守る風対策や雨対策あるいは粉塵対策が必要と考えられる。
【０００８】
全国各地のお彼岸やお盆のお墓参りの風景をニュース等で拝見すると、どこもお供え物は花と線香、ろうそくといったものが多く、非常に寂しさが募る。
【０００９】
図４に示すように、広島の立て燈籠や流し燈籠はさまざまなサイズの物があるが、背の高い立て燈籠になると１７０ｃｍを超える物もある。本体の竹１の太い物を使用している立て燈籠は１本の重さが１Ｋｇに近い物も有る。これだけを見てもサイズは非常に大きく、後処理には墓苑や寺院は専門の撤去業者を手配し、かなりの費用を費やしているのが現状。
【００１０】
忙しい現代社会、休日の都合上お墓参りのみで、その家に挨拶も出来ずに帰る方も少なくない。
【００１１】
図４の立て燈籠は、昔からの風習で切り込みを入れている三角形の下部にジャガイモ等を切って釘を刺したものを乗せ、その釘にろうそくを立てて火を灯していたが、それが原因で火事になる危険性を伴ってしまう。
【００１２】
また、ご先祖様を敬う気持ちを後世に伝えていくためにもお墓参りを促したいが、盆やお彼岸の墓参りの習慣が若い世代から離れている気がして否めない。
【００１３】
立て燈籠を立てる広島や流し燈籠を販売する地域の商店や花店は、この時期、季節商品ではあるが、これらの燈籠を販売により売り上げや利益を伸ばしているが、他地域はそれが無い。
【課題を解決するための手段】
【００１４】
図２に示すように、軸と軸に対して回転自在に取り付けられた多角形の燈籠本体と燈籠本体の上端に固定されて下端に向けて垂下し、色紙と多角形の面を構成する。図１に示すように、風を受け上部が自ら回転する設計、紙のみで形成している工夫が設けられた回転する燈籠である。
【００１５】
各稜線に沿い垂下するそうめんよりなり。色紙の下端にひねりを形成したことを特徴とする回転する燈籠。
【００１６】
多角形が六角形であり、色紙が鮮やかな六色で構成された回転する燈籠。
【００１７】
この発明品は原材料が紙と竹串の可燃物であるため、後処理に関する問題を解消できる。サイズが小さいので扱いやすく、環境面にも配慮していることが大きな特徴と言える。この発明品は技術面の工夫より、不燃物を使っていないため、各自治体が抱えているゴミ問題を視野に入れている回転する燈籠。
【発明の効果】
【００１８】
回転する部分は紙の台紙でできており、台紙は竹串で固定し回転を支持。台紙に鮮やかな色紙を貼り合わせていることを特徴とするとともに、後処理にも費用は掛からず、環境にも考慮しており、図１に示すように、デザインの面から見ても各地の流し燈籠や広島の立て燈籠には無い趣が有る発明品。
【００１９】
この発明は宗派を問わず、価格も非常に安価でサイズもコンパクト、図１に示すように竹串の長さをそのお墓の大きさや高さ、あるいは周辺の環境に合わせてお年寄りや小さな子供でも簡単に竹串を簡単に折ることができる。高さの調整が可能となっている回転する燈籠。
【００２０】
その本体は、お墓の地面に風が吹いても倒れない程度に突き刺すだけで設置可能。また、地面が砂や砂利でなく、コンクリートで舗装されているときは、お墓の花立てや線香立てに立てることも可能な程のサイズ・重さなので、あらゆる墓地の環境やお墓に柔軟に対応が可能な回転する燈籠。
【００２１】
図１の胴紙１の部分に風を含み、自ら上部が回ることを特徴とする。
【００２２】
この発明品には火を灯すことは設計上できないため、燈籠が原因で火事になることがなく安全な回転する燈籠。全てが紙なので引火しやすいため、火の取り扱いには充分に注意が必要となる。
【００２３】
この発明品は、上記にも述べたようにコンパクトサイズのため、屋外のお墓に限らず、屋内の仏壇の前や軒先や縁側に立てることもできる。不幸にして交通事故等で亡くなられた方に、ご遺族の方が命日やお盆にはその現場でお花と線香、この発明品を供えることも出来る回転する燈籠。
【００２４】
忙しい現代社会、休日の都合上お墓参りしかできず、その家に挨拶も出来ずに帰る方も少なくない。この発明品が有れば、図１の胴紙１に名前を書き込んで貰えていれば、盆の最中、あるいは、お彼岸の後にお墓参りをした証を残せる利点もある。お墓を守る家族の方が「誰々がお墓参りしてくれた。」と把握することができ、お参りした側とされた側のコミュニュケーションにも一躍買うことができる回転する燈籠。
【００２５】
地域によってはこの様なお供え物が無い地域が多いと思うが、広島の安芸門徒では、お盆の時期には華やかで見事なお供えの物の立て燈籠で飾られている。花や線香はもちろん、広島での盆風景と同様に各地の墓参りの風物詩になり得る回転する燈籠。
【００２６】
環境保護を大切に思う気持ちと、子孫にご先祖を敬うためのお墓参りを促し、宗教やお墓参りに関心のない特に若い人にはこのような回転する燈籠をきっかけに、お墓参りをする機会とし、ご先祖に手を合わせていただきたいと願う。この発明品がその一端になれればと願う発明品。
【発明を実施するための最良の形態】
【００２７】
図１に示す本体は全てが紙であり、この本体は図２に示すように、中心部は筒紙８を折り糊付けして形を成している。また、下部９の穴から竹串３を刺し込んでおり、差し込まれた竹串３に安定紙１１が糊付けしているため簡単には外れない。安全面の為の上部７は燈籠全体をゆがみとブレから守るため、固定紙１０の三角柱の穴に差し込まれた竹串３を入れる形となる。その全ての部品が回転を生む仕組みが設けられている回転する燈籠。
【００２８】
図１に示すように、記載される「藤の花の中にある供」の文字は、浄土真宗や天台宗で唱える「南無阿弥陀仏」、禅宗等で唱える「南無観世音菩薩」等の文字を挙げることもできるが、あえて、宗派に関係なく「お供え」の「供」としている。「南無阿弥陀仏」といった宗派ごとで挙げることもできる。
【００２９】
色紙が鮮やかな六色で構成された紙に、各宗派の経を全集、挙げることも可能。もちろん、白紙の回転する燈籠にも全集の経を挙げることが可能な回転する燈籠。
【００３０】
また、初盆用にはこの色鮮やかな六色の紙に変わり、図１にある本体に白の紙と金色のそうめんを使った回転する燈籠を作ることもできる。
【００３１】
白色の回転する燈籠に使用する紙は、色鮮やかな色と同じ材質で同じ塗料を使用した紙か、もしくは日本伝統の和紙を使用する。高級感溢れる雰囲気をかもし出す和紙を取り入れる可能性が高い白色の回転する燈籠。
【００３２】
長い竹串を最初から付けているのは、購入された方が、ご自分の立てる墓の大きさ、高さに応じ、場所を選ばぬ形でお供えが可能となる。この竹串の長さは、特に定められた物はないので運搬や地域性によっては短くした竹串を着けることも可能な回転する燈籠。
【００３３】
竹串の直径は上部を支えるために、ある程度太い竹串を想定しているが、太さ自体に定められたものはないので強風の吹く地域や要望があれば太さを定めたものは竹串にはない。
【００３４】
竹串の先は安全上、両端を平坦に切っているが、場合によっては先を削り、尖らせる事も可能。また、尖らせる角度や丸みを持たせることも可能。
【００３５】
竹串の色は、燈籠という日本伝統の商品の特質から、竹を削ったそのままの色を基本にしており定めてはないが、季節の色を塗り、図１の様に付けることも可能な回転する燈籠の竹串。
【００３６】
上記の仕組みは紙のみで出来ているが、発明品の簡素化のため、常に研究を重ね、図２の本体がより簡単に、図３の部品で組み立て易い加工と工夫を今後も努力したい。
【００３７】
図３は、いくつかの部品から本体の図２を構成しているが、常に研究を重ね、より少ない部品で図２の本体を組み立てが可能なものにし、回転する燈籠が微風でもスムーズな回転を生む仕組みを作りたい。
【００３８】
図１の本体は、仏教色の強い底辺が六角形の六角柱の紙から出来ているが、一般的な形としては、底辺が三角形の三角柱、底辺が四角形の四角柱、底辺が八角形の八角柱、底辺が円形の円柱があり、このほか菱形、球形等でもこの回転する燈籠を作ることが出来る。
【００３９】
図１の本体の大きさは、最良の大きさとして設計しているが、地域や宗派によっては本体自体の大きさを変えることも可能にする回転する燈籠。
【００４０】
図１の本体の材質は、市販のコピー用紙やFAX用紙よりもやや、厚みのある通称、画用紙のような固めの材質の紙を使っているが、厚みや硬さには特に指定したものはない。
【００４１】
図１の本体に使用する紙の色は、上に貼る色鮮やかな六色が透けて、地肌の紙色が出ないために白色の紙を使用しているが、特に定めたものではない。
【００４２】
竹串に数センチ感覚に切り込みを入れることで、折り易さと地面に差し込む長さを、この発明品を立てる方が意識できる。
【００４３】
この発明品は、回転する仕組みを持つ燈籠ではあるが、秒速数メートルで回転が生じるという取り決めは定めてない。手作業のため、回転し難い商品があっても回転する燈籠として認知する。
【００４４】
また、この発明品は１秒に、あるいは１分に何回転しないと、回転する燈籠として認知しないという決め事はない。
【実施例１】
【００４５】
次に、この特許の実施例を図面に基づいて説明する。
【００４６】
図１に示すように、胴紙１が風を含むと、上部が自ら回ることを特徴とし、また、口で息を吹き掛けた場合にも回転は生じる。図３に示すように、材料は全て紙の部品と竹串のみで出来ており、糊で張り合わせてこの発明品の形が形成されている。図２や図３に示すように、技術面の工夫より、図１に示すように、胴紙１の色鮮やかな六色の紙と色鮮やかなそうめん４の細い紙を本体に張り合わせたデザインに重点を置いている。また、風を受けて回る時はそれらの紙が宙になびき、非常に綺麗でバランスの取れた設計になっている。
【００４７】
図１に示すように、赤の燈籠、白の燈籠、どちらとも胴紙１の長さ、幅を一定に定める。そうめん４の長さと幅を一定に定める。図２に示すように、これらの紙を貼り付ける前の本体は、底辺が六角形の六角柱。高さと直径は定めたものはない。中は空洞で非常に軽くコンパクト設計の回転する燈籠。
【００４８】
この発明品の先端部分は六角形の平面があるが、そこには六角形の同じ形をした金の紙をはり付ける。それにより豪華さをかもし出している回転する燈籠。
【００４９】
上記の金の紙を縁取るかのように、図１の上部は金色のはちまき５を巻く。
赤色の回転する燈籠と白色の回転する燈籠に同じように施し製作段階では最後の作業となる。
【００５０】
形式ないし形態については、特に問うものでなく、図１のような特異な形状のものの他、本体が、三角形、四角形、五角形、円柱と様々な形態において、この発明品を実施することができる。
【００５１】
精密機械と違い、図３にあるように機械で裁断された寸分違わぬそれらの紙を組み立て、糊で貼り合わせるだけではあるが、人間の手作業によって作られる為に、口で息を吹き掛けてもクルクルと回るが、設計上、１００％の商品が自然の中でいつも想定通りにクルクルと回るかどうかは絶対とは言えない部分はある。
【００５２】
夏の暑い時期や、春と秋のお彼岸において強い風は期待できないなど、自然環境が大きく関わる。この発明品は風を受けて回る仕組みを持っているが、機能の一つとし、そのデザインも機能同様に出していきたい回転する燈籠。
【００５３】
この発明品の本体の色鮮やかな六色は黄色・赤色・オレンジ色・青色・紫色・緑色の色を使用する。また、そうめんもこの色を使用する回転する燈籠。場合によってはこれら以外の紙を使用する。
【００５４】
購入時、竹串は長さを長いものに想定しているが、購入された方の好みとお墓のサイズや高さに合わせて、その場でお年寄りや小さなお子様でも指で簡単に折れる太さの物を使用している。お店で購入した後、お墓のある場所まで持ち歩く際も、車のトランクや車内に置く際にも邪魔にならない程度のサイズと、柔軟に対応できる回転する燈籠。
【００５５】
後処理の方法としては、まず竹串を手で抜き、残りの紙のみの材料でできている上部を握り潰していただければ、中は空洞なので簡単に握りこぶし大以下の大きさになり、竹串は手で簡単に折ることができ、ゴミ袋に入るほどのサイズにできる回転する燈籠。
【００５６】
地域によっては初盆と通常の盆とを区分する、もしくは初盆等関係なく白い燈籠をお供えする等の違いはあるが、色鮮やかな燈籠と白い燈籠の二種類を用意し、購入される地域の方が選択することができる回転する燈籠。
【００５７】
また、この発明は図１に示すように、すべてが容易に処理できるサイズとなっており、可燃ゴミとして後処理が可能。昨今、全国の各自治体ではゴミ処理の問題が大きく取り沙汰されているが、この発明品は撤去時に、簡単にゴミとして処理できる特徴を持つ。
【００５８】
この発明品は日本全国の地域、宗派に関係なく、また盆や年二回のお彼岸にも関係なく、地域の風習に沿った形の「回転する燈籠」をご案内したいと考える。地域は違うが、ご先祖を敬う気持ちは地域、宗派を越え皆同じと考えるためである。
【００５９】
図１に示すように、寺院や墓苑の中では数多く六角形をした石燈籠、天井から吊るす飾り物やお供え物といった物があるだけに、仏教の中で六角形は大切な意味を示している。この発明品は、その大切な意味を持つ六角形をしており、お墓参りの際には欠かせないお供え物となり得る。風を受けて上部が自ら回るという独創性と、和みのデザインも万人に好かれる色と形をしている。
【００６０】
お彼岸やお盆に、燈籠や同様のお供え物を立てる習慣の無かった地域も、この図１の発明品ならば、お彼岸等にこの発明品を立てる習慣を定着できる。見た目にも愛嬌があり誰にでも喜んで貰えるデザインの回転する燈籠。
【００６１】
寺院のお祭りはこの発明品と全く同じ色の横断幕を寺院の間口の所に飾ることがあることから、この発明品の色合いにも寺院との深い繋がりを持っている。この発明品は寺院にお墓参りの際に、お供え物としてお花や線香、ロウソクといったものを購入する際に、それらと同感覚で負担なく購入していただける手軽な燈籠として捉えていただきたい。
【００６２】
お墓参りの際の新しいお供え物とし、この発明品を考案したが、お盆の時期にはこの発明品が店頭に並ぶことで経済効果も期待出来る。盆やお彼岸に新しくお供え物が幅広い地域において売り出される事によって、小さな商店や花店はこの回転する燈籠を含めて、花や線香と一緒にお墓参り品として販売することで経済波及効果も考えられる。
【００６３】
図４の燈籠は、墓参りの際に花や線香と一緒に持参でき、ご先祖を敬う事を重視しているが、図４の立て燈籠の習慣は広島の安芸門徒の盆だけで終わっている。この素晴らしい伝統文化を回転する燈籠が広島から全国に向け他の地域に、宗派に関係なく浸透させたい。
【００６４】
図５に示すような燈籠は、一般的には初盆用の燈籠とし、そのご家族の方が購入。他の燈籠は親戚、兄弟の方が贈り物としている。他の燈籠と今回の発明品は全く趣旨事態が異なると言える。
【００６５】
この回転する燈籠は特異性があって、デザイン重視の見た目にも印象が強く、また、宗派や法として訴えが強く、あらゆる面を配慮したこの回転する燈籠。
【００６６】
出来上がった商品を買うことで、本体をお墓周りの地面の土や砂利に突き立てればよいので面倒な組立作業や工具等は全く必要ない。
【実施例２】
【００６７】
図２の実施形態では上部７に固定紙１０を糊付けしたものに、下部９の穴から竹串３を通し、安定紙１１を竹串３に糊付けした固定のものであったが、他の実施形態では下部９の代わりに紙筒を作り、竹串３をその紙筒の中を通す仕組みを設けたものでも良い。
この場合、安全上、竹串の先端には面棒状にするために紙を巻く必要がある。
【００６８】
図１に示すように、竹串で回転する「回転する燈籠」だが、図１の本体の形式をそのまま使用し、竹串３と下部９等は一切使用せず、上から吊る形の「吊り燈籠」もある。竹串３と下部９を使用しないだけで、色鮮やかな紙や、白の紙等は上記に記載したとおり。
【図面の簡単な説明】
【００６９】
【図１】本発明の実施形態を示す回転する燈籠の斜視図
【図２】同燈籠の上部を開いた外観図
【図３】同燈籠の組み立て部品−図２における全部品
【図４】従来の立て燈籠の斜視図
【図５】従来の電気式屋内用回転燈籠（提燈）−全体断面図
【符号の説明】
【００７０】
１  胴紙
２  お供えのマーク
３  竹串
４  そうめん
５  はちまき
６  金色上紙
７  上部
８  筒紙
９  下部
１０  固定紙
１１  安定紙
１２  竹
１３  耳
１４  竹枠
１５  三角胴紙
１６  房
１７  立て燈籠そうめん
【図１】
2006000527.tif 000003
【図２】
2006000527.tif 000004
【図３】
2006000527.tif 000005
【図４】
2006000527.tif 000006
【図５】
2006000527.tif 000007